(57)【要約】【課題】提供するサービスの選択や提供しているサービス種別の判断を容易に行えるＩＣカードを提供すること。【解決手段】一枚のカードで複数のサービスを外部機器に提供できるもので、外部機器２０に対するインターフェイス１０１と、サービスを選択するスイッチＳＷと、複数のサービスに対応した情報を記憶し、他の領域とセキュリティレベルの異なる情報をそれぞれ記憶する複数の領域を備える記憶手段Ｍと、スイッチで選択したサービスに基づいて記憶手段にアクセスし、インターフェイスを介して外部機器に選択されたサービスを提供するＣＰＵ１００と、アプリケーションの記憶領域へのアクセス状況によりセキュリティレベルを判定するセキュリティレベル判定手段１０４と、サービスの種別やセキュリティレベルを表示するＬＥＤとを備えた。【選択図】　図１
2004086870.tif 000002
【特許請求の範囲】
【請求項１】
複数のサービスに対応付けられた複数のアプリケーションを実行可能なＩＣカードであって、
外部機器に対するインターフェイス、
複数のサービスに対応付けられた複数のアプリケーションに関する情報を格納する記憶手段、
複数のサービスを任意に切り替えるスイッチ、および
前記スイッチにより選択されたサービスに対応付けられたアプリケーションを実行することにより、該サービスを前記インターフェイスを介して外部機器に提供するＣＰＵ
を備えたＩＣカード。
【請求項２】
外部機器に提供されるサービスの種別を表示する表示部をさらに備えた請求項１に記載のＩＣカード。
【請求項３】
セキュリティレベルを判定するセキュリティレベル判定手段をさらに備え、
前記記憶手段は、他の領域とセキュリティレベルの異なる情報をそれぞれ格納する複数の記憶領域を有し、
前記セキュリティレベル判定手段は、前記アプリケーションの該記憶領域へのアクセス状況によりセキュリティレベルを判定し、
前記表示部は、外部機器に提供されるサービスのセキュリティレベルを表示する請求項２に記載のＩＣカード。
【請求項４】
カード本体は、厚みが厚い板状の第１本体部分と厚みが薄い板状の第２本体部分よりなり、第１本体部分から第２本体部分に連続して同一平面となるようにその第１平面側を形成し、第１本体部分が突出した形状となるように第２平面側を構成した請求項２に記載のＩＣカード。
【請求項５】
前記スイッチと前記表示部を、前記第２平面側に突出した第１本体部分の段差部の立上がり面に設けた請求項４に記載のＩＣカード。
【請求項６】
第１本体部分の立上がり面を、前記第１平面側から第２平面側に向かうに従って、第２本体部分側にテーパ状に広がる方向の斜面にした請求項５に記載のＩＣカード。
【請求項７】
前記第２本体部分の第２平面の全部又は一部に鏡面加工を施した請求項４に記載のＩＣカード。
【請求項８】
前記第２本体部分の全部又は一部を透明にした、又は、前記第２本体部分の一部に貫通孔を形成した請求項４に記載のＩＣカード。
【発明の詳細な説明】
【０００１】
【発明の属する技術分野】
本発明は、例えば、少なくともＣＰＵ及び半導体メモリを有し、一枚のカードで複数のサービスを提供することのできるＩＣカードに関するものである。
【０００２】
【従来の技術】
最近、半導体メモリ等を内蔵した小型・軽量のＩＣカードが数多く利用されている。１つの例としてその本体３１の大ささを、図１６（ａ）の左側に示した切手サイズのものがよく知られている。
【０００３】
図１６（ａ）の左側で示すＩＣカードは、その半導体メモリ等を内蔵したＩＣカード本体３１における裏面の一方の端縁近傍に半導体メモリ等と外部機器とを電気的に接続する端子３２を設けており、またこのＩＣカード本体３１の平面形状のひとつの角部に傾斜の切り欠き部３３を形成し、ＩＣカードの誤挿入を防止するための識別機能を持たせている。また、カード本体３１の一方の側部には、ＩＣカードを外部機器に挿入した際の保持を強固にするための凹部３４が形成され、他方の側部には、半導体メモリへのデータ書き込み可否を設定する書込可否設定子３６を摺動自在にするための凹部３５が形成されている。書込可否設定子３６の摺動位置により半導体メモリへのデータ書込可否を設定可能に構成している。
【０００４】
ここで、ＩＣカードにおいて、一枚のカードで複数のサービスを提供可能な多用途ＩＣカードの提案がなされている。例えば、米国Ｓｕｎ　Ｍｉｃｒｏｓｙｓｔｅｍｓ社が提唱するＩＣカード用のＪａｖａ（Ｒ）実行処理系である、ＪａｖａＣａｒｄ（Ｒ）を搭載することにより実現可能である。
【０００５】
上記多用途ＩＣカードは、クレジットカード、キャッシュカード、定期券、診察券、保険証、電子マネー等のカードとして使用することが可能となる。具体的には、前記一枚の多用途ＩＣカードを、パソコンに接続されたカードホルダに挿入して、インターネットに接続し、コンサートチケットの購入決済をするだけでなく、そのカードにコンサートチケットを電子的に格納し、コンサート会場においてはその多用途ＩＣカードを電子入場券として使用可能となる。
【０００６】
また、クレジット機能だけでも複数のクレジットサービス会社の提供するサービスを一枚のカードで利用することができる。当然、図１６（ａ）の左側に示した切手サイズのＩＣカードも上記多用途ＩＣカードとして利用することが可能である。以降、本願におけるＩＣカードは、上記多用途ＩＣカードを対象としたものであるため、以後の説明において、特に断りなく、上記多用途ＩＣカードを単にＩＣカードと呼ぶことにする。
【０００７】
一方、ＩＣカードのさらなる小型化要望がある。ＩＣカードの用途は多くの場合、携帯端末においてである。例えば、携帯電話において使用する場合、前記切手サイズのＩＣカードでも大きいと考えられている。
【０００８】
そこで、図１６（ａ）の右側で示すように切手サイズのさらに、半分のサイズのＩＣカードの形状が考えられる。その場合、カード本体３７のサイズを図１６（ａ）で示す通り半分にし、他構成は同様にすることが考えられる。図１６（ｂ）は図１６（ａ）のＩＣカードの側面の形状を示している。
【０００９】
しかしながら、図１６（ａ）の右側及び（ｂ）で示した例のように、単にＩＣカードの長さ（或いは幅）を小さくした場合、幼児による誤飲等の恐れがある。また、切手サイズのＩＣカード（図１６（ａ）の左側）と電気的互換性を有するとしても、形状が異なるため、誤って切手サイズのＩＣカードに適応する外部機器のコネクタに挿入された場合、コネクタ内部にＩＣカードが収まって機器からの取出しができなくなる恐れや、コネクタの隙間より外部機器内部に入り込んでしまう恐れがある。そのため、この切手サイズの約半分の大きさのＩＣカードを切手サイズのＩＣカードに適応した機器で使用する場合、形状を切手サイズのＩＣカードと一致させるためのアダプタ等が必要となる。
【００１０】
そこで、上記の問題を解決するため、図１７に示すような小容量のＩＣカードが考えられる。
【００１１】
このＩＣカード１は、図１６（ａ）の左側に示した切手サイズのカード本体３１を、厚みが厚い第１本体部分２と厚みが薄い第２本体部分３で構成し、第１平面側Ａが第１本体部分２から第２本体部分３に連続して同一平面となるように形成し、第２平面側Ｂに第１本体部分２が突出した形状にしたものである。なお、図１６で示したものと同様に、端子４が設けられるとともに、角部には傾斜の切り欠き部５、側部には凹部６，７が形成され、凹部７には書込可否設定子８が設けられている。
【００１２】
すなわち、上記図１７に示すような小容量のＩＣカードの形態を採用することにより、従来の切手サイズのＩＣカードとの互換性をとることが可能となる。
【００１３】
【発明が解決しようとする課題】
しかしながら、一枚で複数のサービスを提供することができるＩＣカードであっても現在提供しているサービスが何であるか、ＩＣカードを外部的に見ただけでは判別することはできない。ましてや、そのＩＣカードがカードホルダに挿入された状態で判別することはさらに困難性を有する。
【００１４】
またＩＣカードには上述したように書込可否設定子といったスイッチは設けられているものの、ＩＣカードから提供するサービスをＩＣカードに設けられたスイッチによって選択するようなものは存在しない。
【００１５】
そこで本発明は、一枚で複数のサービスを提供することができるＩＣカードにおいて、提供するサービスの選択や提供しているサービス種別の判断を容易に行えるようにすることを目的にする。
【００１６】
【課題を解決するための手段】
上述の目的を達成するために、本発明は、複数のサービスをスイッチで任意に選択することのできるＩＣカードを提供する。ＩＣカードの記憶手段には、複数のサービスに対応付けられた複数のアプリケーションに関する情報が格納される。ユーザがそのスイッチでサービスを選択すると、ＣＰＵは、選択されたサービスに対応するアプリケーションを実行することにより、そのサービスを外部機器に提供する。
【００１７】
このＩＣカードに表示部を備えることもできる。その表示部は、外部機器に提供されるサービスの種別を表示する。
【００１８】
また、記憶手段に複数の記憶領域を設け、各記憶領域に他の領域とセキュリティレベルの異なる情報をそれぞれ格納することもできる。その場合、セキュリティレベル判定手段を備えるのが好ましい。セキュリティレベル判定手段は、選択されたサービスに対応するアプリケーションの該記憶領域へのアクセス状況によりセキュリティレベルを判定する。表示部は、外部機器に提供されるサービスに対して判定されたセキュリティレベルを表示することができる。
【００１９】
カード本体は、例えば厚みが厚い板状の第１本体部分と厚みが薄い板状の第２本体部分を有する。第１本体部分から第２本体部分に連続して同一平面となるようにその第１平面側を形成し、第１本体部分が突出した形状となるように第２平面側を構成する。
【００２０】
カード本体がこのような形状を有する場合に、スイッチと表示部は、第２平面側に突出した第１本体部分の段差部の立上がり面に設けるのがよい。
【００２１】
また、第１本体部分の立上がり面は、第１平面及び第２平面に対して垂直にせず、第１平面側から第２平面側に向かうに従って、第２本体部分側にテーパ状に広がる方向の斜面にしてもよい。
【００２２】
第２本体部分の第２平面の全部又は一部に鏡面加工を施すこともできる。その鏡面はスイッチや表示部を映す。
【００２３】
さらに、スイッチや表示部と向かい合う第２本体部分の全部又は一部を透明にしたり、第２本体部分の一部に貫通孔を形成してもよい。
【００２４】
【発明の実施の形態】
以下本発明の実施の形態について、図面を用いて説明する。なお、従来例で示したものと同じ部分には同一符号を付した。
【００２５】
（実施の形態１）
図１〜図３を参照して本発明の第１の実施の形態におけるＩＣカード１０ａについて説明する。このＩＣカード１０ａは、一枚のカードで複数のサービスを提供することのできるＩＣカードであり、記憶手段Ｍ（特に限定されるものではないが、例えば半導体メモリで構成）と、ＩＣカード１０ａ全体を制御し、記憶手段Ｍから情報を読み出して外部機器２０に選択されたサービスを提供するＣＰＵ１００が内蔵されている。ここで複数のサービスとは、クレジットカード，キャッシュカード，定期券，診察券，保険証，電子マネーなどの機能を得られることをいう。
【００２６】
図１で示すように、このＩＣカード１０ａは、切手サイズであり、外観上、図１７（ａ）で示したＩＣカード１と同様に、厚みが厚い第１本体部分２とその第１本体部分２の厚みより厚みが薄い第２本体部分３でカード本体を構成し、第１平面側Ａが第１本体部分２から第２本体部分３に連続して同一平面となるように形成し、第２平面側Ｂに第１本体部分２が突出した形状にしたものである。
【００２７】
この構造により、その外形は切手サイズのまま、その容積は小さくしたＩＣカードを提供することができる。従って、既存の切手サイズのＩＣカードに対応した機器では、アダプタなしに使用することができる。
【００２８】
そして、ＩＣカード１０ａの第１本体部分２の裏面側の一方の端縁近傍に記憶手段Ｍ、ＣＰＵ１００と外部機器２０とを電気的に接続する端子４を設けており、また第１本体部分２の平面形状のひとつの角部に傾斜の切り欠き部５を形成し、ＩＣカード１０ａの誤挿入を防止するための識別機能を持たせている。また、第１本体部分２の一方の側部には、ＩＣカード１０ａを外部機器２０に挿入した際に保持を強固にするための凹部６が形成され、他方の側部には、記憶手段Ｍへのデータの書き込み可否を設定する書込可否設定子８を摺動自在に設けるための凹部７が形成されている。この書込可否設定子８の摺動位置により記憶手段Ｍへのデータの書込可否を設定可能にするものであるが、本発明の実施の形態においては不可欠なものではない。
【００２９】
図２に、ＩＣカード１０ａの電気的構成（書込可否設定子８を省略した場合）の概要を示す。
【００３０】
ＩＣカード１０ａに内蔵された基板には、端子４を介して外部機器２０からアクセス命令等を受けるインターフェイス１０１と、ＣＰＵ１００と、複数のサービスに関するアプリケーションの情報が記録された記憶手段Ｍと、複数のサービスのうちいずれかを選択するスイッチＳＷと、ＣＰＵ１００と記憶手段Ｍとの間のデータライン，アドレスライン，制御ラインのうち、アドレスライン及び制御ラインに設けられ、スイッチＳＷからの信号を受けるアクセス制御手段１０２が設けられている。記憶手段Ｍの有する記憶領域１〜３にはサービスに関するアプリケーションを実行するためのプログラム乃至データが格納されている。スイッチＳＷを特定の位置（ここではＳＷ１〜３までの３つの位置に切替えられるようになっている）に設定すると、アクセス制御手段１０２はスイッチＳＷの位置に応じたアドレスと制御線を選択してＣＰＵ１００がアクセス可能となる記憶領域を決定するので、ＣＰＵ１００は選択された記憶領域のみとのアクセスが可能になる。なお、アクセス制御手段１０２のはたらきをＣＰＵ１００に兼用させることもできる。
【００３１】
たとえば、ユーザがスイッチＳＷをＳＷ１の位置に選択すると、アクセス制御手段１０２のはたらきによりＣＰＵ１００は記憶領域１にのみアクセスが可能になるように設定される。これにより、記憶領域１，記憶領域２，記憶領域３にそれぞれＸ社用クレジットカード，Ｙ社用クレジットカード，Ｚ社用クレジットカードに関するプログラムが格納されていれば、Ｘ社用クレジットカードが選択されることになる。また、記憶領域１，記憶領域２，記憶領域３にそれぞれクレッドカード，キャッシュカード，定期券に関するプログラムが格納されていれば、クレジットカードが選択されることになる。
【００３２】
このように、記憶領域１〜３に複数のサービスに関するアプリケーションのプログラム乃至データを格納すれば、ＩＣカード１０ａに設けられたスイッチＳＷによって受けようとするサービスを簡単に選択することができる。
【００３３】
なお、ここではサービスに対応して記憶領域を３つ設けるようにしたが、その数に限定されるものではない。また、一つのサービスに一つの記憶領域を対応させるのではなく、複数の記憶領域を選択して組み合わせることにより一つのサービスを選択できるようにしてもよい。
【００３４】
スイッチＳＷは、ＩＣカード１０ａのいずれかの部分に設けられれば、ユーザは外部から得ようとするサービスを外部機器２０側からではなくＩＣカード１０ａ側から簡単に選択することができるが、特に、図１に示すように、第２平面側Ｂに突出した第１本体部分２の段差部の立上がり面Ｓに設けることが望ましい。
【００３５】
これによれば、現在ＩＣカード１０ａが提供しているサービスの種別をスイッチＳＷの位置により容易に判断することができる。その上、図３に示すように、外部機器２０のカードホルダ２１にＩＣカード１０ａの第１本体部分２から挿入して装着した場合、立上がり面Ｓに設けられたスイッチＳＷの状態を挿入口側から覗くことにより簡単に判別することができる。
【００３６】
また、インターフェイス１０１は、端子４を介して外部機器２０と通信を行っているが、ＩＣカードの外部機器とのインターフェイスは接触型インターフェイスに限られるものではなく、非接触型インターフェイスを用いてもよい。
【００３７】
（実施の形態２）
次に図４及び図５を参照して本発明の第２の実施の形態におけるＩＣカード１０ｂについて説明する。
【００３８】
このＩＣカード１０ｂは、上述した第１の実施の形態のＩＣカード１０ａにおいて、第２平面側Ｂに突出した第１本体部分２の段差部の立上がり面ＳにスイッチＳＷにかえて、外部機器２０に提供されるサービスの種別を表示する表示部として発光ダイオード（特に発光ダイオードに限定されるものではなく、表示可能なものであれば何でもよく、以後ＬＥＤ（Ｌｉｇｈｔ　Ｅｍｉｔｔｉｎｇ　Ｄｉｏｄｅ）と呼ぶ）を設けたものである。なお、第１の実施の形態と同一部分には同一符号を付しその説明を省略した。
【００３９】
図５に、ＩＣカード１０ｂの電気的構成の概要を示す。
【００４０】
ＩＣカード１０ｂに内蔵された基板には、端子４を介して外部機器２０からアクセス命令等を受けるインターフェイス１０１と、ＣＰＵ１００と、複数のサービスに対応した情報が記録された記憶手段Ｍと、複数のサービスのうち提供されるサービスの種別を表示する３つのＬＥＤと、ＬＥＤの点灯／消灯を制御する表示制御手段１０３が設けられている。記憶手段Ｍの有する記憶領域１〜３にはサービスを実行するためのプログラム乃至データが格納されている。なお、表示制御手段１０３のはたらきをＣＰＵ１００に兼用させることもできる。
【００４１】
たとえば、外部機器２０からの要求により何らかのサービスをＩＣカード１０ｂが提供していると、表示制御手段１０３は記憶手段Ｍが備える特定の記憶領域が使用されていることを検出し、対応するＬＥＤを点灯させる。
【００４２】
仮に、ＣＰＵ１００が、記憶領域２に格納されているプログラム乃至データのアプリケーションを実行可能である旨を示すフラグ（記憶領域２に格納されている）を検出し、フラグが設定されている場合、表示制御手段１０３に対して特定のＬＥＤ、たとえばＬＥＤ２を点灯するように要求するようになっている。
【００４３】
これによれば、現在のＩＣカード１０ｂの状態、すなわち、どのサービスを提供しているかが、ＬＥＤで構成された表示部の点灯／消灯状況によって、容易に判別することができる。ＬＥＤはＩＣカード１０ｂの表面なら、どこに設けるようにしてもよいが、特に立上がり面Ｓに設けることにより、図３に示すように、外部機器２０のカードホルダ２１にＩＣカード１０ｂの第１本体部分２から挿入して装着した場合、ＬＥＤの点灯／消灯状況を挿入口側から覗くことにより簡単に判別することができる。また、これによれば、ＩＣカード１０ｂがどのサービスを提供しているか表示する手段を外部機器２０側に設ける必要はない。
【００４４】
なお、第１の実施の形態で記載したスイッチＳＷをＬＥＤに並べて立上がり面Ｓに設けるようにしてもよい。
【００４５】
（実施の形態３）
次に図６を参照して本発明の第３の実施の形態におけるＩＣカード１０ｃについて説明する。
【００４６】
このＩＣカード１０ｃは、第２本体部分３の第２平面の一部に鏡面加工を施した（ここでは、立上がり面Ｓ側に鏡面を設けたが第２本体部分３の全部に施してもよい）ものであり、第１，第２の実施の形態で記載したように第１本体部分２の段差部の立上がり面Ｓに設けられたスイッチＳＷまたはＬＥＤの状態を鏡による反射によって判別しやすくしたものである。
【００４７】
特に、図３に示すように、外部機器２０のカードホルダ２１にＩＣカード１０ｃの第１本体部分２から挿入して装着した場合には、スイッチＳＷまたはＬＥＤの状態を鏡による反射を介して一層容易に判別することができる。
【００４８】
また鏡面を施すことにかえて、第２本体部分３の一部又は全部を透明にして、透過を利用してスイッチＳＷまたはＬＥＤの状態を判別するようにすることも可能である。
【００４９】
（実施の形態４）
次に図７及び図８を参照して本発明の第４の実施の形態におけるＩＣカード１０ｄについて説明する。
【００５０】
このＩＣカード１０ｄは、第２本体部分３の一部に貫通孔１２を形成したものであり、第１，第２の実施の形態で記載したように第１本体部分２の段差部の立上がり面Ｓに設けられたスイッチＳＷまたはＬＥＤの状態を貫通孔１２を介して第１平面側Ａから判別しやすくしたものである。
【００５１】
これによれば、図８に示すように、外部機器２０のカードホルダ２２が段差を有する第１本体部分２と第２本体部分３に嵌合するタイプの場合に、貫通孔１２を介してスイッチＳＷまたはＬＥＤの状態を第１平面側Ａから容易に判別することができる。さらに、段差部の立上がり面ＳにスイッチＳＷが設けられているときには、貫通孔１２を介してスイッチＳＷを操作することも可能である。
【００５２】
また、立上がり面Ｓに複数のスイッチＳＷ１〜４またはＬＥＤ１〜４が設けられている場合に、全てのスイッチＳＷ１〜４またはＬＥＤ１〜４について貫通孔１２を第２本体部分３に形成するのではなく、一部のスイッチまたはＬＥＤについてだけ貫通孔１２を形成してもよい。図９の例では、４つのスイッチＳＷ１〜４またはＬＥＤ１〜４のうちの２つと第２本体部分３が向かい合う位置に一つの貫通孔１２が設けられている。
【００５３】
このように一部のスイッチＳＷ１および２またはＬＥＤ１および２についてだけ貫通孔１２を設けると、残りのスイッチＳＷ３および４またはＬＥＤ３および４の状態を判別したり残りのスイッチＳＷ３および４を操作したりできない。このため、例えば提供されるサービスに秘匿性の高いものが含まれていても、そのようなサービスについては、それに対応するスイッチまたはＬＥＤの状態を判別したりそのスイッチを操作したりすることを困難にすることができる。そのようなサービスがあっても、そのサービスに対応するスイッチまたはＬＥＤの状態を判別することには支障がなければ、貫通孔１２の設けられていない第２本体部分３の部位に透明部を設けてもよい。
【００５４】
また、全てのサービスに関して操作を行う必要がなければ、貫通孔１２に代えて、一部のスイッチまたはＬＥＤについてだけ透明部を設けるようにしてもよい。
【００５５】
（実施の形態５）
次に図１０及び図１１を参照して本発明の第５の実施の形態におけるＩＣカード１０ｅについて説明する。
【００５６】
このＩＣカード１０ｅは、第１本体部分２の立上がり面ＳＳを、ＩＣカード１０ａ〜１０ｄのように、第１平面及び第２平面に対して垂直にするのではなく、図９に示すように、第１平面側Ａから第２平面側Ｂに向かうに従って、第２本体部分３側にテーパ状に広がる方向の斜面、すなわち第１本体部分２から第２本体部分３側に反り返る斜面にしたものである。そして、その斜面ＳＳが対向する第２本体部分３の部位を透明（図では透明部を斜線で示した）にしてスイッチＳＷまたはＬＥＤの状態を第１平面側Ａからさらに一層容易に判別することができるようにしたものである。なお、透明部にかえて貫通孔にしたり、鏡面にするようにしてもよい。
【００５７】
これによれば、図１１に示すように、外部機器２０のカードホルダ２２が段差を有する第１本体部分２と第２本体部分３に嵌合するタイプの場合に、透明部を介してスイッチＳＷまたはＬＥＤの状態を立上がり面ＳＳが垂直の場合と比較して、第１平面側Ａから一層容易に判別することができる。
【００５８】
（実施の形態６）
次に図１２乃至図１４を参照して本発明の第６の実施の形態におけるＩＣカード１０ｆについて説明する。
【００５９】
このＩＣカード１０ｆでは、記憶手段Ｍに、記憶された情報に対するセキュリティレベルの異なる４つの記憶領域Ｍ１，Ｍ２，Ｍ３およびＭ４が備えられている。このＩＣカード１０ｆは、従来のメモリカードの機能を拡張したものであり、ＩＣカードとしてサービスを提供するために主に記憶領域Ｍ１およびＭ２が用いられ、メモリカードとして情報を記憶するのに主に記憶領域Ｍ３およびＭ４が用いられる。
【００６０】
記憶領域Ｍ１およびＭ２にアクセスするか記憶領域Ｍ３およびＭ４にアクセスするかは、例えばＰＤＡ（Ｐｅｒｓｏｎａｌ　Ｄａｔａ　Ａｓｓｉｓｔａｎｔ）の備える外部ＣＰＵ２００からのアクセス命令に応じて、インターフェイス１０１が振り分ける。
【００６１】
記憶領域Ｍ３およびＭ４には、内部ＣＰＵ１００を介さずにアクセスすることができる。記憶領域Ｍ３は、そこに記憶された情報に対するセキュリティレベルが記憶領域Ｍ４の次に低い領域である。外部ＣＰＵ２００から記憶領域Ｍ３にアクセスするには、認証が適切に行われていればよい。記憶領域Ｍ４には、その認証も必要としないでアクセスすることができる。
【００６２】
記憶領域Ｍ１およびＭ２には、内部ＣＰＵ１００を介さなければアクセスすることができない。内部ＣＰＵ１００によりＩＣカード向けの暗号化を行うことも可能であり、記憶領域Ｍ１およびＭ２に記憶された情報は、記憶領域Ｍ３およびＭ４に記憶された情報より強固に守られる。記憶領域Ｍ２が記憶領域Ｍ３およびＭ４とともに大容量の不揮発性フラッシュメモリ内に確保されているのに対し、記憶領域Ｍ１は、耐タンパ性モジュール（Ｔａｍｐｅｒ　Ｒｅｓｉｓｔａｎｔ　Ｍｏｄｕｌｅ）内に確保されている。ＴＲＭ内に設けられることで、記憶領域Ｍ１に記憶された情報は物理的にも強固に保護される。記憶領域Ｍ１は、記憶された情報に対するセキュリティレベルが最も高い領域であり、そこには、不正アクセスや改竄があると被害が甚大な例えばデジタルキャッシュなどの情報が記憶される。記憶領域Ｍ２に記憶された情報に対するセキュリティレベルは、記憶領域Ｍ１に記憶された情報と較べると低くなるが、チケットの番号や買い物のレシートなどの情報を保護するには十分なものである。
【００６３】
このように、扱う情報に対して複数のセキュリティレベルが用意されたＩＣカード１０ｆを用いている場合、どのようなサービスが提供されているかということに加えて、そのサービスやそれに関する情報がどの程度保護されているかということも、ユーザの大きな関心事となる。
【００６４】
その要求を満たすため、ＩＣカード１０ｆは、選択されたサービスまたは情報に対するセキュリティレベルを判定するセキュリティレベル判定手段１０４を備えており、表示制御手段１０３は、その判定結果に基づいてＬＥＤの表示を制御する。
【００６５】
この実施の形態では、そのセキュリティレベルと、サービスに利用されるまたは情報の記憶された領域が対応する。セキュリティレベル判定手段１０４は、アクセス命令がどの記憶領域に対するものかという情報をインターフェイス１０１や内部ＣＰＵ１００から得る。そして、図１３に示すようなセキュリティレベル定義テーブルを参照して、記憶領域へのアクセス状況を表す情報をセキュリティレベルに変換する。例えばアクセス命令が記憶領域Ｍ１に対するものであれば、セキュリティレベルとして最も高い値「４」を得る。アクセス命令が記憶領域Ｍ２に対するものであれば、次に高い値「３」を得る。
【００６６】
このようにしてセキュリティレベルを判定すると、セキュリティレベル判定手段１０４は、そのセキュリティレベルに基づいて、表示パターンを決定する。この決定のために、図１４に示すようなＬＥＤ表示定義テーブルを用いることができる。例えばセキュリティレベルが「４」であれば、表示パターンビットとして「１１１１」というビット数４のビット列を得る。セキュリティレベルが「３」であれば、「１１１０」というビット列を得る。
【００６７】
このようにして得られたビット列は表示制御手段１０３に与えられ、表示制御手段１０３は、そのビット列に従ってＬＥＤを制御する。そのビット列の各ビットは４つのＬＥＤを点灯させるか否かに対応しており、表示制御手段１０３は、各ビットの値が「１」であれば、ＬＥＤ１〜４のうち、対応するＬＥＤを点灯状態にし、各ビットの値が「０」であれば、対応するＬＥＤを消灯状態にする。
【００６８】
例えば「１１１１」というビット列が表示制御手段１０３に与えられたときには、全てのＬＥＤが点灯することになる。また、「００００」というビット列が与えられたときには、全てのＬＥＤが点灯しない。
【００６９】
このようにＬＥＤの表示が制御されるので、ユーザは、表示の違いで、セキュリティレベルを確認することができる。例えば予期せず全てのＬＥＤが点灯すれば、不正アクセスが行われているという疑いをユーザがもって適当な対処をすることが可能となる。このため、ユーザの知らない間に不正アクセスが行われ、その発見が遅れたために、被害が増大するような事態も避けることができる。
【００７０】
（実施の形態７）
次に、図１５を参照して、上記ＩＣカード１０ａ〜１０ｆ（ここでは１１５０と付す）を利用可能な機器をユーザが使用する例を示す。
【００７１】
今、インターネット１１１０にチケットサーバ１１００、クレジットサーバＸ１１０１、クレジットサーバＹ１１０２が接続されており、それぞれのサーバはコンサートのチケット販売、クレジット会社Ｘにおける決済サービス、クレジット会社Ｙにおける決済サービスを提供しているとする。
【００７２】
ユーザは、ＩＣカード１１５０を利用してコンサートのチケット予約をしたいと考える。ここでユーザは先ず自宅１１３０におけるパソコンＰＣ１１３１に接続されたカードホルダ１１３２（図３で示したものと同様のもの）にＩＣカード１１５０を挿入する。挿入に先立ちユーザはクレジットサービスを受ける会社を、ＩＣカード１１５０に取付けられたスイッチ（ここでは図示しないが、図１，図２で示したものと同様のもの）を操作することで選択することが可能である。
【００７３】
次に、ユーザはチケットサーバ１１００に接続し、目的とするコンサートチケットを予約し電子チケットの購入を行う。このときチケット代金はあらかじめ、ＩＣカード１１５０のスイッチにて設定されているクレジットサービスを受ける会社により決済処理される。もし、ユーザがＩＣカード１１５０に設定されているクレジットサービスを受ける会社を忘れていても、カードホルダ１１３２の挿入口よりスイッチの位置または、ＬＥＤ（ここでは図示しないが、図４，図５で示したものと同様のもの）の点灯状況を目視することで確認可能である。また、現在の受けているサービスのセキュリティ条件をＬＥＤの点灯状況を目視することにより実施の形態６に記載したように確認することも可能である。さらに、クレジットサービスを受ける会社を変更したい場合には特殊な装置を用いて挿入口よりＩＣカード１１５０のスイッチの位置を変更することにより可能である。このように挿入口からは特殊な装置を用いるほかスイッチの位置を変更することができないため、セキュリティ上安全であり、特殊事情の場合でも対応可能である。
【００７４】
こうしてユーザはコンサートのチケットのデータをチケットサーバ１１００からＩＣカード１１５０にダウンロードし、あらかじめＩＣカード１１５０で設定したクレジット会社に対するチケット代金の支払いはクレジットサーバ１１０１においてその処理を完了する。
【００７５】
次にユーザが購入したコンサートチケットをＩＣカード１１５０に入れたまま携帯電話１１４２で使用する状況を考える。このように、コンサートチケットを別の場所で使用する場合、チケットのデータは、ユーザが所有するＩＣカード１１５０に格納されているので安全性を確保できる。なせならば、チケットのデータがネットワーク上のサーバ等に保管されている場合は、ハッキング等の脅威にさらされていることになるからである。
【００７６】
次に、ユーザはコンサート会場１１４０に赴き会場に入場するため、携帯電話１１４２経由で、購入したコンサートチケットの認証を行う。コンサート会場１１４０におけるチケット認証には、チケットリーダ１１４１を使用し、携帯電話１１４２とのデータ交換は例えば近距離無線を利用することが可能である。
【００７７】
さらにコンサート会場においてユーザがチケット種別の変更を希望する場合、その差額の決済は携帯電話１１４２から公衆網１１２０を経由して、例えばクレジットサーバ１１０２を利用して処理することも可能である。
【００７８】
この場合において、携帯電話１１４２にＩＣカード１１５０を挿入したまま、あらかじめ設定されているクレジットサービス会社の確認及び、変更は前述の通り挿入口からスイッチの位置または、ＬＥＤの点灯状況を目視することで可能である。
【００７９】
なお、自宅１１３０における、コンサートチケットの予約に、パソコンＰＣ１１３１及びカードホルダ１１３２を利用したが、携帯電話１１４２を利用した電子商取引機能を利用しても構わない。その場合、ユーザは自宅１１３０ではなく、移動環境においてコンサートチケットの予約が可能である。
【００８０】
また、コンサート会場１１４０においてコンサートチケットの認証に携帯電話１１４２を利用しているが、チケットリーダ１１４１に備えるカードリーダ（図示しない）にＩＣカード１１５０のみ挿入することにより同様の処理を実施可能である。
【００８１】
なお、カードホルダ１１５０及び、携帯電話１１４２におけるカードホルダ（図示しない）の形状は、図３及び図８で示されるカードホルダ２１．カードホルダ２２のどちらであっても構わない。
【００８２】
カードホルダ２１の場合、挿入口（図３中の矢印方向）より、立上がり面ＳのスイッチＳＷの位置とＬＥＤの点灯の有無を確認可能である。かつ、挿入口（図３中の矢印方向）より、特殊な装置を用いてスイッチＳＷの位置を変更可能である。また、さらにカードホルダ２１は内部が暗くなるため、ＬＥＤの発光強度を低くしても、点灯の有無を確認可能であり、また前記説明したとおりの鏡面加工を施すことにより、さらにＬＥＤの発光強度をおさえることも可能となる。
【００８３】
カードホルダ２２の場合、挿入面（図８中の上方向）より、立上がり面Ｓ及び、立上がり面ＳＳのスイッチＳＷの位置とＬＥＤの点灯の有無を貫通孔１２より確認可能であり、かつ、貫通孔１２より特殊な装置を用いてスイッチＳＷの位置を変更可能である。また、さらにカードホルダ２２は内部が暗くなるため、ＬＥＤの発光強度を低くしても、点灯の有無を確認可能であり、また前記説明したとおりの鏡面加工を施すことにより、さらにＬＥＤの発光強度をおさえることも可能となる。また、さらに貫通孔１２でなく、ＩＣカード１１５０の第２本体部分が透明であった場合、スイッチＳＷの位置とＬＥＤの点灯の有無を確認可能であるが、スイッチＳＷの位置は変更不可能である。一般に携帯電話１１４２はモバイル環境において利用されることが多く、外部機器との接触の機会もおおくなるため、このように物理的にスイッチＳＷの位置の変更を不可能とする手段が有効な場面もある。
【００８４】
上記説明の通り、上記ＩＣカードを利用可能な機器をユーザが使用することで、モバイル環境において多種のサービスを一枚のＩＣカードにて享受することが可能となる。
【００８５】
【発明の効果】
以上のように本発明によれば、ＪａｖａＣａｒｄ（Ｒ）等のように、一枚のカードで複数のサービスを提供することのできるカードにおいて、複数のサービスのうち特定のサービスを選択するスイッチが外部機器側にではなく、ＩＣカード側に設けられているので、ユーザが取得したいサービスを容易に選択することができ、しかもそのスイッチの位置からＩＣカードからどのサービスが提供されるかが外部機器に接続することなく把握することができる。
【００８６】
また、ＩＣカードの状態を表示する表示部が同じくＩＣカード側に設けられているので、ＩＣカードがどのサービスを提供しているのかやそのサービスに対するセキュリティ強度を容易に判別することができる。
【００８７】
特に、スイッチまたは表示部を第２平面側に突出した第１本体部分の段差部の立上がり面に設けることにより、カードホルダに第１本体部分から挿入した場合に、挿入口から立上がり面上のスイッチまたは表示部を判別することができる。
【００８８】
また第１本体部分の立上がり面を、前記第１平面側から第２平面側に向かうに従って、第２本体部分側にテーパ状に広がる方向の斜面にしたり、第２本体部分の第２平面の全部又は一部に鏡面加工を施したり、第２本体部分の全部又は一部を透明にするか、又は、第２本体部分の一部に貫通孔を形成することによって、視認性を一層向上させることができる。
【図面の簡単な説明】
【図１】本発明の第１の実施の形態に係るＩＣカードの要部を示す斜視図
【図２】図１に示すＩＣカードの電気的構成の概要を示すブロック図
【図３】図１に示すＩＣカードがカードホルダに装着された状態を示す側面図
【図４】本発明の第２の実施の形態に係るＩＣカードの要部を示す斜視図
【図５】図４に示すＩＣカードの電気的構成の概要を示すブロック図
【図６】本発明の第３の実施の形態に係るＩＣカードの要部を示す斜視図
【図７】本発明の第４の実施の形態に係るＩＣカードの要部を示す斜視図
【図８】図７に示すＩＣカードがカードホルダに装着された状態を示す側面図
【図９】図７に示すＩＣカードの変形例を説明するための斜視図
【図１０】本発明の第５の実施の形態に係るＩＣカードの要部を示す側面図
【図１１】図１０に示すＩＣカードがカードホルダに装着された状態を示す側面図
【図１２】本発明の第６の実施の形態に係るＩＣカードの電気的構成の概要を示すブロック図
【図１３】本発明の第６の実施の形態におけるＩＣカードで用いられるセキュリティレベル定義テーブルの一例を示す図
【図１４】本発明の第６の実施の形態におけるＩＣカードで用いられるＬＥＤ表示定義テーブルの一例を示す図
【図１５】本発明に係るＩＣカードを他機器において利用する場合の構成図
【図１６】従来例に係るＩＣカードを示すものであり、（ａ）の左側は従来の切手サイズのＩＣカードを示した斜視図であり、（ａ）の右側は左側のサイズを半分としたＩＣカードを示した斜視図であり、（ｂ）は（ａ）の右側のＩＣカードを示した側面図
【図１７】ＩＣカードの別の例を示すものであり、（ａ）は斜視図であり、（ｂ）は側面図
【符号の説明】
１　ＩＣカード
２　第１本体部分
３　第２本体部分
４　端子
５　切り欠き部
６　保持用凹部
７　書込可否設定子用凹部
８　書込可否設定子
１０（１０ａ〜１０ｅ）　ＩＣカード
１２　貫通孔
２０　外部機器
２１　カードホルダ
２２　カードホルダ
１００　ＣＰＵ
１０１　インターフェイス
１０２　アクセス制御手段
１０３　表示制御手段
１０４　セキュリティレベル判定手段
１１００　チケットサーバ
１１０１　クレジットサーバＸ
１１０２　クレジットサーバＹ
１１１０　インターネット
１１２０　公衆網
１１３０　自宅
１１３１　パソコンＰＣ
１１３２　カードホルダ
１１４０　コンサート会場
１１４１　チケットリーダ
１１４２　携帯電話
１１５０　ＩＣカード
Ａ　第１平面側
Ｂ　第２平面側
Ｍ　記憶手段
Ｓ　立上がり面（垂直面）
ＳＳ　立上がり面（斜面）
ＳＷ　スイッチ
ＬＥＤ　発光ダイオード（表示部）
【図１】
2004086870.tif 000003
【図２】
2004086870.tif 000004
【図３】
2004086870.tif 000005
【図４】
2004086870.tif 000006
【図５】
2004086870.tif 000007
【図６】
2004086870.tif 000008
【図７】
2004086870.tif 000009
【図８】
2004086870.tif 000010
【図９】
2004086870.tif 000011
【図１０】
2004086870.tif 000012
【図１１】
2004086870.tif 000013
【図１２】
2004086870.tif 000014
【図１３】
2004086870.tif 000015
【図１４】
2004086870.tif 000016
【図１５】
2004086870.tif 000017
【図１６】
2004086870.tif 000018
【図１７】
2004086870.tif 000019